(57)【要約】【課題】長期にわたって運転してもベルト式スクリーンに亀裂が発生したりその軸片が変形することがなく、取水口の水路幅及び深さや流水の水圧及び流速による制約が大幅に緩和された除塵用ベルト式スクリーン装置を提供する。【解決手段】本発明のスクリーン装置は、帯片と軸片とを組み合わせて屈折自在に連結したベルト式スクリーン（１２）と、スクリーンの軸片に係合する駆動スプロケット（５）と、スプロケットを軸支するスクリーンフレーム（１）と、駆動スプロケットとの間にスクリーンが掛け渡される下部ロータ（１０）とを備えている。スクリーンの幅方向には複数の小判状補強プレートが配置されている。また、スクリーンの下流側面にはベルト受けレール（１５），（１６）が配置され、その表面が樹脂で形成された各レールは支持部材（１８），（１９）によって上記フレームに固定されている。スクリーンは、スプロケットの回転駆動により無端状に走行し、その上に流水中の夾雑物が掻き揚げられる。【選択図】　　図１
2004100197.tif 000002
【特許請求の範囲】
【請求項１】
長さ方向に交互に反対側に屈曲させて山部と谷部とを連続して形成した多数の帯板を同じ方向に並列させて、隣接する帯板の山部と谷部を互いに嵌合し、それらの重合部に軸片を挿通して屈折自在に連結したベルト式スクリーンと、該スクリーンの軸片に係合する駆動スプロケットと、該スプロケットを軸支するスクリーンフレームと、駆動スプロケットとの間にスクリーンが掛け渡される下部ロータとを備え、スプロケットの回転駆動によりスクリーンを無端状に走行させて、流水中の夾雑物をスクリーン上に掻き揚げる除塵用ベルト式スクリーン装置において、上記軸片が挿通する穴を有する複数の小判状補強プレートをスクリーンの幅方向に介装すると共に、表面が樹脂製部材で形成されるかまたは樹脂で被覆された長尺板からなるベルト受けレールを水流に関してスクリーンの下流側に配置してスクリーンを摺動自在とし、かつ該レールが支持部材を介してスクリーンフレームに固定されていることを特徴とする除塵用ベルト式スクリーン装置。
【請求項２】
所定の間隔で上方に突出する爪片を有する複数の矩形状板片が前記スクリーン上の幅方向に配置され、該板片がスクリーンの長さ方向に所定の間隔で並設されたことを特徴とする請求項１記載のスクリーン装置。
【請求項３】
水流に対して上流側に位置する前記スクリーンの幅方向の下端部表面に当接するブラシを設けたことを特徴とする請求項１又は２記載のスクリーン装置。
【発明の詳細な説明】
【０００１】
【発明の属する技術分野】
本発明は、河川や水処理施設等の取水口に設置される除塵用ベルト式スクリーン装置に関する。より詳しくは、本発明は、水透過性のスクリーンを無端状に走行させて、流水中の夾雑物をスクリーン上に掻き揚げる除塵用ベルト式スクリーン装置に関する。
【０００２】
【従来の技術】
従来から、水域の美観あるいは水処理負荷の軽減のために、河川や水処理施設等の取水口に鋼線で形成された金網状のベルトまたは帯板で形成された略波形のベルトを備えたベルト式スクリーン装置を設置して、水面及び水中に浮遊する木の葉や枝、ペットボトル、ビニルシート等の各種夾雑物を無端ベルトで掻き揚げて回収した後に、夾雑物を処分していた。
かかる夾雑物を掻き揚げる除塵用ベルトとしては、図９（Ａ）に示すような、長さ方向において交互に反対側に屈曲させて山部ａと谷部ｂとを連続して形成した適宜幅の帯板ｃの多数を同方向に並列させて、隣接する帯板ｃの山部ａ及び谷部ｂを互いに嵌合し、その重合部に軸片ｄを挿通して屈折自在に連結して所望長さのベルトｅに形成したものが知られている（例えば、特許文献１参照）。このベルトｅ上には、適宜の間隔を存して掻揚用アングル部材ｆが設けられている。
以上のようなベルトｅは、図９（Ｂ）に示すように、河川ｇの流れに対して下流側に傾斜してスプロケットｈと転胴ｉの間に掛け渡される。ベルトｅの上流側背面には、フラットバーｊが掻揚装置の本体フレームに支持されることなく配置される。そして、モータｋに連動してスプロケットｈを回転させてベルトｅを無端状に走行させながら、河川ｇに浮遊する夾雑物をアングル部材ｆで掻き揚げ、セパレータｍの回転によりベルトｅから夾雑物を分離して回収する。
【０００３】
【特許文献１】
実開昭６２−１４８６２０号公報
【０００４】
【発明が解決しようとする課題】
除塵用ベルトは河川等の水流による水圧を受けるため、ベルトに撓みが発生する。また、除塵用ベルトが設置される取水口の水路幅及び深さは必ずしも一定でないため、無端ベルトの機械幅及び機械長は水路の大きさに対応させる必要がある。しかしながら、略波形の帯板からなる従来の無端ベルトの機械幅及び機械長を共に大きくとると、水圧によりベルトを構成する帯板に亀裂等が発生するという問題があった。
しかも、従来の無端ベルトは、その上流側背面にフラットバーを本体フレームに支持することなく配置して、その両側縁部に駆動用スプロケットを係合するチェーンが取り付けられている。そのため、ベルトが例えば流水の流速１ｍ／秒以上に対応する水圧負荷を受けた場合、ベルトの両側部は撓みが大きくなり、軸片が変形したり帯板に亀裂等が発生するという問題があるだけでなく、無端ベルトの走行性が悪化するという問題があった。
そこで、本発明の目的は、長期にわたって運転してもベルト式スクリーンに亀裂が発生したりその軸片が変形することがなく、取水口の水路幅及び深さや流水の水圧及び流速による制約が大幅に緩和され、円滑に走行可能なスクリーンを備えた除塵用ベルト式スクリーン装置を提供することにある。
【０００５】
【課題を解決するための手段】
本発明は、長さ方向に交互に反対側に屈曲させて山部と谷部とを連続して形成した多数の帯板を同じ方向に並列させて、隣接する帯板の山部と谷部を互いに嵌合し、それらの重合部に軸片を挿通して屈折自在に連結したベルト式スクリーンと、該スクリーンの軸片に係合する駆動スプロケットと、該スプロケットを軸支するスクリーンフレームと、駆動スプロケットとの間にスクリーンが掛け渡される下部ロータとを備え、スプロケットの回転駆動によりスクリーンを無端状に走行させて、流水中の夾雑物をスクリーン上に掻き揚げる除塵用ベルト式スクリーン装置において、上記軸片が挿通する穴を有する複数の小判状補強プレートをスクリーンの幅方向に介装すると共に、表面が樹脂製部材で形成されるかまたは樹脂で被覆された長尺板からなるベルト受けレールを水流に関してスクリーンの下流側に配置してスクリーンを摺動自在とし、かつ該レールが支持部材を介してスクリーンフレームに固定されていることを特徴とする。
本発明においては、所定の間隔で上方に突出する爪片を有する複数の矩形状板片が上記スクリーン上の幅方向に配置され、これらの板片がスクリーンの長さ方向に所定の間隔で並設されている。また、水流に対して上流側に位置するスクリーンの幅方向の下端部表面に当接するブラシを設けることが好ましい。
【０００６】
【作用】
本発明において、スクリーンの軸片が挿通する穴を有する複数の小判状補強プレートがスクリーンの幅方向に介装されているので、スクリーンを構成する軸片の強度が補強プレートによって補強される。そのため、ベルト式スクリーンが河川等の水流による比較的大きな水圧を受けても、上記軸片の撓みに起因する帯板の亀裂等の発生を防止することができる。従って、スクリーン面積を大きくすることが可能となり、取水口の水路幅及び深さに制約を受けることがない。
また、長尺板からなるベルト受けレールが水流に関してスクリーンの下流側に配置されてスクリーンフレームに固定されているので、上流側からの水圧負荷をレールで受け止めることができる。例えば、上記フレームに支持されることなくスクリーンの両側部にチェーンを掛け渡した設けた場合、ベルト式スクリーンは、流水の通過流速１ｍ／秒前後までしか耐えられないが、ベルト受けレールを支持部材を介してフレームに固定することによって、通過流速が３〜４ｍ／秒であっても機能上の制約を受けるようなことがない。即ち、上記軸片が変形することがなく、しかも、レールは表面が樹脂製部材または樹脂被覆の長尺板で構成されているので、比較的大きな水圧負荷を受けてもスクリーンは円滑に走行する。
このように、本発明のスクリーン装置は、スクリーンを構成する帯板の亀裂等の発生や軸片の変形を防止しつつ、取水口の水路や流水の流速の制約が大幅に緩和される。そして、スプロケットの回転駆動により略波形の帯板からなる無端スクリーンが屈折自在に走行する際、河川等の水面及び水中に浮遊しながら流れてくる夾雑物がスクリーン上に掻き揚げられ、河川等の水は浄化される。
【０００７】
請求項２に係る発明によれば、所定の間隔で上方に突出する爪片を有する複数の矩形状板片がスクリーン上の幅方向に配置され、同板片がスクリーンの長さ方向に所定の間隔で並設されたものであるから、水面から一旦掻き揚げられた夾雑物は水と一緒に落下するようなことがなく、夾雑物を確実に回収することができる。因みに、従来の鋼線で形成された金網状のベルトでは、小さな夾雑物がベルトに絡み付き、夾雑物を分離しにくいという問題がある。また、掻揚用アングル部材を取り付けたベルトでは、一旦掬い揚げられた夾雑物、特に木の葉等が落下する水流と一緒に流されるという問題がある。
請求項３に係る発明によれば、水流に対して上流側に位置するスクリーンの幅方向の下端部表面に当接するブラシを設けたものであるから、流水中の夾雑物をスクリーンの下方から下流側に流失させる恐れがない。また、スクリーン上に取り付けられた爪片はブラシの線間を通過するので、無端スクリーンの走行が妨げられることがない。
【０００８】
【発明の実施の形態】
以下、本発明を詳細に説明する。
本発明の除塵用ベルト式スクリーン装置は、駆動スプロケットと下部ロータとの間にベルト式スクリーンが掛け渡され、モータ等の駆動源から適宜の動力伝達機構を介してスプロケットを回転駆動させることにより、スクリーンが無端状に走行する。駆動スプロケットから反転走行するスクリーンの下方には、その下面に接触する回転式セパレータブラシが配置されていて、上記伝達機構を介してセパレータブラシを回転駆動させることにより、スクリーン上に掻き揚げられた夾雑物がスクリーンから分離され、適宜の容器に回収される。
動力伝達機構としては、駆動源の出力軸と駆動スプロケット軸及びセパレータブラシ軸とを連動させるベルト伝動、Ｖベルト伝動、チェーン伝動、歯車機構等があり、駆動源から得られる駆動スプロケットの駆動力を同様の手段によってセパレータブラシ軸に伝動させてもよい。セパレータブラシは、必要に応じて複数並設してもよく、その場合、上述の動力伝達機構が順次セパレータブラシ間に連設される。セパレータブラシの軸方向に沿って半径方向に取り付けられるブラシ自体は、通常軸に関して対称位置に配置される。
【０００９】
本発明のスクリーン装置は、スクリーンが垂直状に直立して上部が水平方向に屈曲しているか、あるいは、スクリーンが水流に対して下流側に傾斜し、それから連続して水平方向に屈曲していて、屈曲部にスクリーンを支持する回転体が配置される。この回転体（ロータ）及び前記下部ロータは、連続した回転体であってもスペーサを介して複数に分割したものでもよい。
本発明において、夾雑物が掻き揚げられるスクリーンとしては、図９に示すような前述の帯片と軸片とから形成されるベルト式スクリーンが用いられる。しかし、山部と谷部の屈曲形状は、図９に示す角形に限定されるものではなく、円弧状等の波形であってもよい。かかるスクリーンは、取水口の水路幅及び深さに対応したサイズとされる。
スクリーンの幅方向には、スクリーンの軸片が挿通する穴を有する小判状の補強プレートが複数介装される。補強プレートは、通常スクリーンの幅方向両端及び中央部の複数箇所に介装される。これらの補強プレートは、スクリーンの長さ方向に連続して無端状に配設することが好ましいが、スクリーンの軽量化やコストの低減を図るために、不連続に配設することもできる。
更に、スクリーン上の幅方向には、所定の間隔で上方に突出する爪片を有する複数の矩形状板片が配置され、これらの板片がスクリーンの長さ方向に所定の間隔で並設されている。
【００１０】
前記駆動スプロケットは、スクリーンフレームの両側に軸支され、補強プレートが介装されたスクリーンの帯片を挟み込むように軸片に係合される。そのため、スクリーンの略波形の部位にかかる荷重を補強プレートに分散でき、略波形の帯片の変形、亀裂、破損等を抑制することができる。なお、駆動スプロケット以外の下部ロータ、回転式セパレータブラシ及び屈曲部に配置される回転体も、スクリーンフレームの両側に軸支されている。
また、水流に対して上流側に位置するスクリーンの幅方向に下部ブラシを設けて、スクリーンの下端部に当接させることが好ましい。かかる部位にブラシを設けておくと、スクリーンの下方が開放状態であるかまたはゴム板を配置する従来のスクリーン装置と異なって、流水中の夾雑物がスクリーンの下方を通過して下流側に流失するようなことはない。しかも、スクリーン上に取り付けられる爪片は下部ブラシの線間を通過するので、無端スクリーンは円滑に走行することができる。
スクリーンの幅方向中央部に介装される前記補強プレートの配設箇所は、水圧負荷を受けるスクリーンの帯板に亀裂等の損傷が発生しないような位置であれば、特に限定されるものではない。
【００１１】
前記爪片を有する板片において、板片に対する爪片の角度は、スクリーンが水流に対して下流側に傾斜している場合、９０°に直立することが好ましいが、垂直軸線に対してスクリーンの走行方向側に２０°以下の範囲で傾斜させても、夾雑物の掻揚及び分離に特段の支障はない。また、スクリーンが垂直状に直立している場合、爪片の角度は、一般に４５〜９０°の範囲でスクリーンの走行方向側に傾斜しており、６０〜８５°の範囲内で傾斜していることが好ましい。上記角度が４５°未満であると、スクリーンの走行方向と逆向きに回転するセパレータブラシによって夾雑物を完全に分離させることが困難である。一方、角度が９０°より大きくなると、流水中の夾雑物をスクリーン上に確実に掻き揚げることが困難となる。
【００１２】
上述の爪片を備えた無端スクリーンを走行させて夾雑物を水面から掻き揚げた時、従来の金網状ベルトや掻揚用アングル部材を取り付けたベルトと異なり、夾雑物が爪片に引っかかって水流により落下することがない。しかも、前記セパレータブラシの回転により夾雑物がスクリーンから容易に分離するので、夾雑物を確実に回収することができる。
上記板片は、その両側部が爪片取付ボルトとナットとで締め付けることによりクリーン上に固定される。このようなボルトとナットを用いて板片をスクリーンに固定すると、夾雑物掻揚部材が溶接等で強固に固着されていた従来のベルトと異なって、河川や水処理施設の環境が変化しても、必要に応じて爪片付き板片を交換することが可能である。
【００１３】
水流に関してスクリーンの下流側面には、スクリーンが摺動する表面を樹脂製部材で形成するかまたは樹脂で被覆した長尺板からなるベルト受けレールが上下２段にわたって配置されると共に、レールを支持する複数本の支持部材がスクリーンフレームに固定されている。また、スクリーンの前記屈曲部にも、その上側にスクリーン裏面が摺動する上部レールが配置され、これを支持する複数本の支持部材がフレームに固定される。これらの支持部材としては、パイプ、棒状部材、板状部材等が用いられる。なお、下段のベルト受けレールが配置される部位のスクリーンの長さ方向に、前記板片の爪片が配置されないのはいうまでもない。
スクリーンの滑りを良くするために、低摩擦係数の樹脂材料でレール表面部材を構成することが好適であり、例えばステンレス鋼製長尺板を同樹脂材料で被覆してもよい。
樹脂材料の摩擦係数は、０．３以下であることが好ましく、０．２以下であることが更に好ましい。かかる樹脂材料としては、ナイロン、ポリイミド、ポリアミドイミド、超高分子量ポリエチレン、ポリエステル、ポリアセタール、ＰＥＥＫ等が挙げられる。これらの樹脂は機械的強度及び耐磨耗性にも優れている。上記樹脂の中でも、超高分子量ポリエチレン（Ｕ−ＰＥ１００，Ｕ−ＰＥ３００：日本ポリペンコ株式会社製）や６ナイロン（ＭＣナイロン：日本ポリペンコ株式会社製）が好ましく用いられる。
【００１４】
ところで、掻揚部材としてアングル部材を取り付けた従来のベルトでは、一旦掻き揚げられた夾雑物の水面への落下を防止するために、３０°程度の傾斜角でベルトを下流側に傾斜させていた。しかし、傾斜角が小さいと、スクリーン装置の設置面積が大きくなる。
そこで、本発明の除塵用ベルト式スクリーン装置において、ベルト式スクリーンが垂直状に直立して上部が水平方向に屈曲している場合は、前述した通り、板片に対して爪片を６０〜８５°の範囲内で傾斜させて、板片をスクリーン上に取り付けることが望ましい。一方、スクリーンを傾斜させる場合は、水流に対して４５°以上９０°未満の傾斜角で下流側に傾斜させることが望ましい。上記傾斜角が９０°近くになると従来のベルトと同様に夾雑物が落下する可能性があり、装置の設置面積との関係を考慮に入れて、傾斜角は５０〜８０°の範囲にあることが好ましく、５５〜７５°の範囲にあることが特に好ましい。
【００１５】
【実施例】
次に、図面を参照しながら本発明を具体的に説明する。
図１，２において、符号１は河川の取水口Ａに設置されるスクリーンフレームである。フレーム１は、傾斜部が水流に対して６０°下流側に傾斜し上部が水平方向に折曲していて、フレーム本体を構成する傾斜部に横架された副フレーム１ａと水平部に横設された上部フレーム１ｂと上部フレーム１ｂ間を連結する垂直フレーム１ｃからなる。フレーム１の傾斜部は取水口Ａの底面上に支持され、上部は複数本の支柱２で取水口Ａの地盤上に支持される。上部フレーム１ｂの上面には架台３が取り付けられ、架台３に固定されたモータ据付フレーム４ａ上に減速機構を備えたモータ４が据え付けられる。
フレーム１上部の両側間に軸受を介して軸５ａ，６ａが支承され、これらの軸５ａ，６ａにそれぞれ複数の駆動スプロケット５及び回転式セパレータブラシ６が固設される。上記モータの出力軸４ｂ及びスプロケット軸５ａの端部にはスプロケット４ｃ，５ｂが嵌着され、更にスプロケット軸５ａ及びセパレータブラシ軸６ａの各端部にはスプロケット５ｃ，６ｂが嵌着され、スプロケット４ｃ，５ｂ間及びスプロケット５ｃ，６ｂ間にそれぞれチェーン７，８が卷回される。従って、モータ４の回転駆動に伴ってスプロケット５及びセパレータブラシ６が同時に回転される。上記軸４ｂ，５ａ，６ａ、スプロケット４ｃ，５ｂ，５ｃ，６ｂ及びチェーン７，８は、人手に直接触れないようにカバー９で覆われる。
【００１６】
フレーム１下部の両側間には下部ロータ１０の回転軸１０ａが軸受を介して支承され、前記フレーム１の折曲部内、具体的にはスクリーンの屈曲部下側にこれを支持する支持ロータ１１を配置して、ロータ１０と駆動スプロケット５の間にベルト式スクリーン１２が掛け渡される。
スクリーン１２上には、上方に突出する爪片１３を有する板片が、スクリーン１２の幅方向及び長さ方向に所定の間隔で複数列取り付けられていて、スクリーン１２の走行時に流水中の夾雑物がスクリーン１２上に掻き揚げられる。上記セパレータブラシ６の下部側方には邪魔板１４が設けられていて、爪片１３で掻き揚げられた夾雑物が周囲に飛散するのを防止する。
【００１７】
フレーム１の傾斜部の長さ方向には２段にわたってベルト受けレールとしての前面レール１５及び裏面レール１６が複数列配置され、フレーム１の上部折曲部には上部レール１７が複数列配置され、これらのレール１５〜１７上をスクリーン１２が摺動する。図２には５本の前面レール１５が図示されている。前面レール１５は水流に対して上流側に位置し、裏面レール１６は水流に対して下流側に位置する。前面レール１５及び裏面レール１６において、スクリーン１２面が摺動する上面は樹脂製表面部材で構成されている。
前面レール１５は、フレーム１の両側間に横架された複数本の固定パイプ１８によって支持され、これらのパイプ１８はスクリーンフレーム１の一部を構成する。裏面レール１６及び上部レール１７は、それぞれフレーム１の両側間に横架された複数本の固定パイプ１９，２０に支持される。
取水口Ａの底面上に下部バッフル板２１が配置され、フレーム１の両側間に取り付けられる。このバッフル板２１を介して下部ブラシ２２が設けられ、ブラシ２２は水流に対して上流側に位置するスクリーン１２の幅方向の下端部表面に当接する。
【００１８】
更に、図３〜５に基づいて図１，２に示す除塵用ベルト式スクリーン装置の細部について説明する。
ベルト式スクリーン１２は、図４に示すように、長さ方向に交互に反対側に屈曲させて山部２３ａと谷部２３ｂとを連続して形成した多数の帯板２３を同じ方向に並列させて、隣接する帯板の山部２３ａと谷部２３ｂを互いに嵌合し、それらの重合部に軸片２４を挿通して屈折自在に連結して所定の長さに形成した無端状のスクリーンからなる。軸片２４の両端には、帯板２３が抜け出ないように、軸片２４より大径の抜止部材２５が固着される。
【００１９】
軸片２４の両端に固着された抜止部材２５と幅方向最外周の帯板２３の間に、山部２３ａの高さより多少長い小判状の補強プレート２６が介装される。補強プレート２６は隣接する軸片２４が挿通する２つの穴２６ａを有していて、異なる２枚の補強プレート２６の端部同士を重ね合わせて穴２６ａの位置をずらせた状態で、ある１本の軸片２４が挿通する。上記穴２６ａは軸片２４を遊嵌可能に補強プレート２６の長さ方向を長くした長穴として、スクリーン１２にかかる水圧の変化に対応できるようにしてある。
また、水圧負荷を受けるスクリーン１２の幅方向中央部にも、上述の補強プレート２６が適宜の間隔で帯板２３の間に複数枚介装される。この場合、２枚の補強プレート２６が互いに対向する位置に配置され、その間に１枚の補強プレート２６の端部を穴２６ａの位置をずらせたサンドイッチ状態で１本の軸片２４が挿通する。即ち、１本の軸片２４は３枚の補強プレートの穴２６ａを挿通する。
このように、スクリーン１２の幅方向の両端及び中央部に介装される補強プレート２６は、図４に示すように、スクリーン１２の長さ方向に連続して無端状に複数列配置される。
【００２０】
ベルト式スクリーン１２上には、図５に示すように、所定の間隔で上方に突出する前記爪片１３を有する板片２７が取り付けられる。板片２７は、細長い矩形状をなし、スクリーン１２の幅方向に所定の間隔でもって複数個取り付けられ、長さ方向に所定の間隔で配列される。また、爪片１３は板片２７に対して直立している。
板片２７は、ナットをスクリーン裏面に宛い、スクリーン表面側の板片両側部に形成された穴から爪片取付ボルト２８を挿通させて締め付けることにより、スクリーン１２上に固定される。
【００２１】
図３において、符号２９は前記スプロケット軸５ａの径より僅かに幅広の長穴であり、後述のテイクアップボルトを用い、軸５ａとフレーム１間の距離を調節してスクリーン１２を緊張させる際に、軸５ａが長穴２９に沿って図面右側に移動する。
前記セパレータブラシ６は、その軸方向に固定された一対のセパレータ座６ｃ間にブラシ６ｄを軸６ａのほぼ全長にわたって挟持させて、座６ｃをブラシ取付ボルト６ｅで締め付けることによって形成される。図３にはブラシ６ｄが十字状に交叉したセパレータブラシ６の例が図示されている。なお、符号３０はセパレータブラシ軸６ａの径より僅かに幅広の長穴であり、テイクアップボルトを用いて、前記チェーン８を緊張させるために設けられている。前記支持ロータ１１は、その軸１１ａがフレーム１の両側間に支承されている。
【００２２】
スクリーン１２の下流側面を受ける前記前面レール１５及び裏面レール１６の上面は、断面形状逆Ｌ字状の超高分子量ポリエチレン製レール表面部材１５ａ，１６ａで構成される。各レール表面部材１５ａ，１６ａは、それぞれステンレス鋼製の各レール本体（長尺板）に複数のビス１５ｂ，１６ｂで固着され一体化されている。上部レール１７の上面は、断面形状逆Ｌ字状の６ナイロン樹脂製レール表面部材１７ａで構成される。レール表面部材１７ａも、複数のレール取付ボルト１７ｂで同様にレール本体に固着され一体化されている。
図３に図示された前記ロータ１０は、スペーサ１０ｂとロータとが交互に連設されている。また、前記バッフル板２１及びスクリーン１２の下端部に当接するブラシ２２は、両者の上下端部を表面側取付座３１ａと裏面側取付座３１ｂとで挟持して、複数のバッフル板取付ボルト３２及びブラシ取付ボルト３３で幅方向に締結することにより固定される。
【００２３】
以上のようなスクリーン装置は、ベルト式スクリーン１２が水流に対して下流側に傾斜して、その下部が水面下に没した状態で取水口Ａに臨んでいる。同装置のモータ４を駆動してスプロケット６を回転させると、無端スクリーン１２が矢印方向に走行し、同時にセパレータブラシ６も回転する。スクリーン１２にはその幅方向及び長さ方向に小判状の補強プレート２６が配置されているので、水流による水圧を受けても、スクリーン１２を構成する軸片２４の撓みが防止される。しかも、スクリーン１２は、低摩擦係数の樹脂製前面レール１５及び裏面レール１６、更には上部レール１７上を摺動するので、これらのレール１５〜１７上を円滑に走行する。
走行中のスクリーン１２に流水中に浮遊する夾雑物が接触すると、夾雑物は爪片１３に引っかけられスクリーン１２上に掻き揚げられる。この際、下部バッフル板２１が取水口Ａの底面上に配置され、下部ブラシ２２がスクリーン１２の幅方向の下端部に当接しているので、夾雑物が下流側に逸流することはない。また、上記爪片１３は下部ブラシ２２の線間を通過するので、無端スクリーン１２の走行に支障をきたすことがない。
掻き揚げられた夾雑物は、スクリーン１２の水平部に至り、そこから反転してセパレータブラシ６の回転力によってスクリーン１２から分離される。分離された夾雑物は、一部が飛散防止用の邪魔板１４に衝突しながら下方に落下し、取水口Ａの地面上に用意された適宜のコンテナに回収される。
【００２４】
更に、本発明の別の除塵用ベルト式スクリーン装置について、図６〜８を参照しながら説明する。なお、図１〜５において説明した構成部材と同様のものには同じ符号を付し、重複した説明は避けることにする。
図６，７において、スクリーンフレーム１は、垂直状に直立し上部が水平方向に折曲している。フレーム１の上面には架台３が取り付けられ、その上に据え付けられるモータ等の伝動機構が省略されているが、本スクリーン装置においても同じ伝動機構を備えている。フレーム１上部の両側には駆動スプロケット軸５ａの両端部が挿通する長穴２９が形成されていて、軸５ａに連結された前記テイクアップボルト４１を図６の右側に移動させてスクリーン１２を緊張させた後、軸５ａの両端部を支承する軸受（図示せず）をフレーム１に固定する。
また、スクリーン１２の水平部下側下面に外周部が接触する回転式セパレータブラシ６が２基並設され、上述のテイクアップボルトを用いて図示していないチェーン（８，８）が緊張される。更に、スクリーン１２の屈曲部下側に支持ロータ１１が配置される。
【００２５】
スクリーン１２の下流側面を受ける前面レール１５及び裏面レール１６は、図３に示すものと同様に表面が超高分子量ポリエチレンで構成される。上部レール１７は、６ナイロン樹脂製の前記レール表面部材１７ａがビス１７ｃでステンレス鋼製レール本体に一体化されている。また、下部ロータ１０、下部バッフル板２１及び下部ブラシ２２に関しては、図１〜３に示すスクリーン装置のものと同様である。
フレーム１の前後面には、観音開き式の前面側点検扉４２及び後面側点検扉４３が設けられる。後面点検扉４３の側部にはヒンジ４４がフレームカバー４５に取り付けられ、他側部に取手４３ａが取り付けられる。前面側点検扉４２も同様の構造からなり、図６に取手４２ａが図示されている。また、カバー４５の下端部には、セパレータブラシ６，６の軸方向に沿ってシュート４６が配置される。そして、セパレータブラシ６，６の回転によってスクリーン１２から分離された夾雑物は、シュート４６内を通過して下方に落下し、取水口Ａの地面上に用意された適宜のコンテナに回収される。
【００２６】
ベルト式スクリーン１２上には、上方に突出する爪片４７を有する板片２７が取り付けられる。爪片４７は、板片２７に対して７５°の角度でスクリーン１２の走行方向側に傾斜している。
図６〜８に示す除塵用ベルト式スクリーン装置は、スクリーン１２の掻揚部が垂直状に直立しているため、その上の幅方向に所定の間隔で配列される爪片４７をスクリーン１２の走行方向側にやや傾斜させたもので、先に説明したベルト式スクリーン装置と同様に、流水中の夾雑物をスクリーン１２上に確実に掻き揚げることができる。
なお、図１〜３と図６〜８に示す各除塵用ベルト式スクリーン装置において、スクリーン１２の掻揚部が傾斜しているか直立しているかに起因して、板片２７に対する爪片１３と爪片４７の角度が相違しているが、この点を除いて、一方の構成部材を他方の装置に付加したり、あるいはそれぞれの構成部材を相互に変更することが可能である。
【００２７】
【発明の効果】
本発明の除塵用ベルト式スクリーン装置によれば、スクリーンを構成する軸片の強度が小判状の補強プレートによって補強されるため、ベルト式スクリーンが水流による比較的強い水圧を受けても、長期にわたって軸片の撓みを防止することができるので、スクリーンを構成する帯板の亀裂等の発生を防止することができる。また、取水口の水路幅及び深さに制約を受けないという利点がある。
更に、水流に関して下流側のスクリーン面に当接するベルト受けレールが支持部材を介して配置されているため、スクリーンが上流側から比較的強い水圧負荷を受けても、これをレールで受け止めることができ、スクリーンを構成する軸片が変形しないだけでなく、レール表面が樹脂で形成されているため、スクリーンは円滑に走行することができる。従って、流水の水圧や流速に対する制約が大幅に緩和される。
【図面の簡単な説明】
【図１】本発明の一実施例を示す除塵用ベルト式スクリーン装置の側面図である。
【図２】図１の正面図である。
【図３】図１の要部断面図である。
【図４】本発明におけるベルト式スクリーンの一例を示し、（Ａ）はその正面図であり、（Ｂ）は側面図である。
【図５】（Ａ）は図１に示す爪片を有する板片が取り付けられたベルト式スクリーンの要部拡大平面図であり、（Ｂ）は板片の縦断面図である。
【図６】本発明の別の実施例を示す除塵用ベルト式スクリーン装置の側断面図である。
【図７】図６の背面図である。
【図８】図６に示す爪片を有する板片が取り付けられたベルト式スクリーンの拡大図であって、（Ａ）はその平面図、（Ｂ）は側面図である。
【図９】（Ａ）は従来のベルト式スクリーンの要部正面図であり、（Ｂ）はその使用状態を示すスクリーン装置の側面図である。
【符号の説明】
１・・・　スクリーンフレーム、５・・・　駆動スプロケット、６・・・　回転式セパレータブラシ、１０・・・　下部ロータ、１１・・・　支持ロータ、１２・・・　ベルト式スクリーン、１３・・・　爪片、１５、１６・・・　前面及び裏面レール（ベルト受けレール）、１８，１９・・・　固定パイプ（支持部材）、２２・・・　下部ブラシ、２３・・・　帯板、２３ａ・・・　山部、２３ｂ・・・　谷部、２４・・・　軸片、２６・・・　補強プレート、２６ａ・・・　穴、２７・・・　板片、４７・・・　爪片、Ａ・・・　取水口。
【図１】
2004100197.tif 000003
【図２】
2004100197.tif 000004
【図３】
2004100197.tif 000005
【図４】
2004100197.tif 000006
【図５】
2004100197.tif 000007
【図６】
2004100197.tif 000008
【図７】
2004100197.tif 000009
【図８】
2004100197.tif 000010
【図９】
2004100197.tif 000011